(57)【要約】【課題】電子機器を把持する姿勢が変化してもキートップ表示の向きをこの変化に対応して変化させて入力操作を容易にする４分割キートップスイッチ、入力装置、これを使用した電子機器を提供する。【解決手段】セパレータ１２１ｓにより相互に不透明に９０°に４分割された４分割キートップ１２１を有し、４分割キートップ１２１の各分割部には数字その他の符号を表示し、中央部にスイッチ接点部１２３を位置決め固定し、４分割キートップ１２１の各符号に対向してＬＥＤ１２４を位置決め固定したプリント基板１２２を有し、重力検出センサを有し、重力検出センサの検出出力に基づいてＬＥＤの一つを選択駆動し、スイッチ接点部は入力待ち状態とする４分割キートップスイッチ、入力装置、これを使用した電子機器。【選択図】  図１
2004260592.tif 000002
【特許請求の範囲】
【請求項１】
セパレータにより相互に不透明に９０°に４分割された４分割キートップを有し、４分割キートップの各分割部には数字その他の符号を表示し、
中央部にスイッチ接点部を位置決め固定し、４分割キートップの各符号に対向してＬＥＤを位置決め固定したプリント基板を有し、
重力検出センサを有し、
重力検出センサの検出出力に基づいてＬＥＤの一つを選択駆動し、スイッチ接点部は入力待ち状態とすることを特徴とする４分割キートップスイッチ。
【請求項２】
表示部と入力部とを有する電子機器の入力装置において、
４分割キートップスイッチを要素とする行列の数が３或いは４の入力部を具備し、
行列の各アドレスに配列される４分割キートップスイッチは、セパレータにより相互に不透明に９０°に４分割された４分割キートップを有し、４分割キートップの各分割部には数字その他の符号を表示し、中央部にスイッチ接点部を位置決め固定し、４分割キートップの各符号に対向してＬＥＤを位置決め固定したプリント基板を有し、重力検出センサを有し、重力検出センサの検出出力に基づいてＬＥＤの一つを選択駆動し、スイッチ接点部は入力待ち状態とすることを特徴とする入力装置。
【請求項３】
請求項２に記載される入力装置において、
入力部は４分割キートップの各分割部に表示される符号が正立した基本姿勢と、基本姿勢を時計方向に９０°回動した９０°回動姿勢と、基本姿勢を時計方向に１８０°回動した１８０°回動姿勢と、基本姿勢を時計方向に２７０°回動した２７０°回動姿勢とをとり、各姿勢における行列のそれぞれ共通するアドレスの４分割キートップの各分割部に数字その他の符号を配置したことを特徴とする入力装置。
【請求項４】
表示部と入力部を制御する入力表示部制御回路部を具備し、入力表示部制御回路部は、姿勢判定部、表示方向決定部、表示駆動回路を有し、
ここで、姿勢判定部は加速度センサから供給される検出信号に基づいて電子機器の姿勢を判定し、
表示方向決定部は姿勢判定部の判定結果である姿勢信号を直接に入力してこれに対応する表示方向信号を決定し、
表示駆動回路は表示方向決定部の出力する表示方向信号を入力し、これに対応する方向に表示部および入力部を駆動変更し、
入力表示部制御回路部は更に姿勢判定部の判定結果である姿勢信号を一旦記憶する姿勢記憶部を有し、姿勢記憶部に記憶される直前の姿勢信号と、姿勢判定部の判定結果である現在の姿勢信号とを入力し、これら両信号に基づいてこれに対応する表示方向信号を決定することを特徴とする電子機器。
【請求項５】
請求項４に記載される電子機器において、
電子機器を携帯電話端末としたことを特徴とする電子機器。
【請求項６】
請求項５に記載される電子機器において、
４分割キートップスイッチを要素とする行列の数が３或いは４の入力部を具備し、
行列の各アドレスに配列される４分割キートップスイッチは、セパレータにより相互に不透明に９０°に４分割された４分割キートップを有し、４分割キートップの各分割部には数字その他の符号を表示し、中央部にスイッチ接点部を位置決め固定し、４分割キートップの各符号に対向してＬＥＤを位置決め固定したプリント基板を有し、加速度センサから供給される検出信号に基づいてＬＥＤの一つを選択駆動し、スイッチ接点部は入力待ち状態とする４分割キートップスイッチより成ることを特徴とする電子機器。
【請求項７】
請求項６に記載される電子機器において、
入力部は、４分割キートップの各分割部の表面に表示される符号が正立した基本姿勢と、基本姿勢を時計方向に９０°回動した９０°回動姿勢と、基本姿勢を時計方向に１８０°回動した１８０°回動姿勢と、基本姿勢を時計方向に２７０°回動した２７０°回動姿勢において、各姿勢における行列のそれぞれ共通するアドレスの４分割キートップの各分割部に数字その他の符号を配置したものであることを特徴とする電子機器。
【請求項８】
請求項４ないし請求項７の内の何れかに記載される電子機器において、
表示部は液晶表示装置より成り、重力方向に対応する姿勢信号を表示方向決定部より入力して表示画面の表示アドレスを変換することにより表示画像の向きを回転することを特徴とする電子機器。
【発明の詳細な説明】
【０００１】
【産業上の利用分野】
この発明は、４分割キートップスイッチ、入力装置、これを使用した電子機器に関する。
【０００２】
【従来の技術】
図１６を参照するに、これは電子機器である携帯電話端末の斜視図である。携帯電話端末１は、大別して液晶表装置より成る表示部１１および押しボタン或いはキーボードを有する入力部１２により構成されている（特許文献１参照）。この入力部１２は、一般に、キートップ入力装置より成る。この携帯電話端末１は、図示されるが如き正立した左側の状態で使用される。これを右側に示される転倒した状態に姿勢を変更すると、入力部１２を構成するキートップ入力装置はキートップの表示内容が転倒して極めて使いにくい状態となる。そして、電子機器が携帯電話端末１であると、表示部１１を構成する液晶表示装置の液晶表示画面の表示内容も上下に転倒して見難くなる。
【０００３】
そして、携帯電話端末１の表示部１１の多くは長方形の表示画面を有してその縦横比を異にしている。通常は表示画面の長い方を縦方向にし、短い方を横方向にしている。表示される情報の内容の如何によっては、表示画面の縦横を逆にして使い勝手を良くしたいという場合もある。
以上のことから、この表示画面の表示内容の縦横を切り替える携帯電話端末１も開発されている。
【０００４】
しかし、表示画面の表示内容の縦横を逆に切り替えるには、通常、入力部１２に具備される切り替えボタンを操作する必要がある。そこで、この縦横の切り替えを自動切り替えする携帯電話端末１も開発されており、これはインターネットを介して特定の機能にリンクして自動切り替えを実行するものであるので、使用者が携帯電話端末１を持つ姿勢によっては使い難いことなる。更に、入力部１２の押しボタン或いはキーボードの入力キーの配列は固定されているので、姿勢を変更した場合は、表示画面上のアイコンの操作以外は通常はできなくなる。
【０００５】
また、従来の携帯電話端末１の構造は、上部に表示部１１が配置され、下部に入力部１２が配置されているので、情報入力操作時に上側の表示部１１を把持する訳には行かず、指を深く曲げた状態で入力操作しなければならない上に、手が大きい人或いは高齢者にとって操作し難いものとなる。
【０００６】
【特許文献１】特開２００２−２９０５２９号  公報
【０００７】
【発明が解決しようとする課題】
ここで、この発明は、携帯電話端末の如き電子機器を把持する姿勢が変化してもキートップ表示の向きをこの変化に対応して変化させて入力操作を容易にする４分割キートップ入力装置、この４分割キートップ入力装置を構成する４分割キートップスイッチ、この４分割キートップ入力装置を電子機器に使用して表示部の表示の読み取りおよび入力部の入力操作を容易にした電子機器を提供するものである。
【０００８】
【課題を解決するための手段】
請求項１：セパレータ１２１ｓにより相互に不透明に９０°に４分割された４分割キートップ１２１を有し、４分割キートップ１２１の各分割部には数字その他の符号を表示し、中央部にスイッチ接点部１２３を位置決め固定し、４分割キートップ１２１の各符号に対向してＬＥＤ１２４を位置決め固定したプリント基板１２２を有し、重力検出センサを有し、重力検出センサの検出出力に基づいてＬＥＤの一つを選択駆動し、スイッチ接点部は入力待ち状態とする４分割キートップスイッチを構成した。
【０００９】
そして、請求項２：表示部１１と入力部１２とを有する電子機器の入力装置において、４分割キートップスイッチを要素とする行列の数が３或いは４の入力部を具備し、行列の各アドレスに配列される４分割キートップスイッチは、セパレータ１２１ｓにより相互に不透明に９０°に４分割された４分割キートップ１２１を有し、４分割キートップ１２１の各分割部には数字その他の符号を表示し、中央部にスイッチ接点部１２３を位置決め固定し、４分割キートップ１２１の各符号に対向してＬＥＤ１２４を位置決め固定したプリント基板１２２を有し、重力検出センサを有し、重力検出センサの検出出力に基づいてＬＥＤの一つを選択駆動し、スイッチ接点部は入力待ち状態とするものである入力装置を構成した。
【００１０】
また、請求項３：請求項２に記載される入力装置において、入力部は４分割キートップ１２１の各分割部に表示される符号が正立した基本姿勢と、基本姿勢を時計方向に９０°回動した９０°回動姿勢と、基本姿勢を時計方向に１８０°回動した１８０°回動姿勢と、基本姿勢を時計方向に２７０°回動した２７０°回動姿勢とをとり、各姿勢における行列のそれぞれ共通するアドレスの４分割キートップの各分割部に数字その他の符号を配置した入力装置を構成した。
【００１１】
ここで、請求項４：表示部１１と入力部１２を制御する入力表示部制御回路部２を具備し、入力表示部制御回路部２は姿勢判定部２１、表示方向決定部２３、表示駆動回路２４を有し、ここで、姿勢判定部２１は加速度センサ３から供給される検出信号に基づいて電子機器の姿勢を判定し、表示方向決定部２３は姿勢判定部２１の判定結果である姿勢信号を直接に入力してこれに対応する表示方向信号を決定し、表示駆動回路２４は表示方向決定部２３の出力する表示方向信号を入力し、これに対応する方向に表示部１１および入力部１２を駆動変更し、入力表示部制御回路部２は更に姿勢判定部２１の判定結果である姿勢信号を一旦記憶する姿勢記憶部２２を有し、姿勢記憶部２２に記憶される直前の姿勢信号と、姿勢判定部２１の判定結果である現在の姿勢信号とを入力し、これら両信号に基づいてこれに対応する表示方向信号を決定する電子機器を構成した。
【００１２】
そして、請求項５：請求項４に記載される電子機器において、電子機器を携帯電話端末とした電子機器を構成した。
また、請求項６：請求項５に記載される電子機器において、４分割キートップスイッチを要素とする行列の数が３或いは４の入力部を具備し、行列の各アドレスに配列される４分割キートップスイッチは、セパレータ１２１ｓにより相互に不透明に９０°に４分割された４分割キートップ１２１を有し、４分割キートップ１２１の各分割部には数字その他の符号を表示し、中央部にスイッチ接点部１２３を位置決め固定し、４分割キートップ１２１の各符号に対向してＬＥＤ１２４を位置決め固定したプリント基板１２２を有し、加速度センサ３から供給される検出信号に基づいてＬＥＤの一つを選択駆動し、スイッチ接点部は入力待ち状態とする４分割キートップスイッチより成る電子機器を構成した。
【００１３】
更に、請求項７：請求項６に記載される電子機器において、入力部１２は４分割キートップ１２１の各分割部の表面に表示される符号が正立した基本姿勢と、基本姿勢を時計方向に９０°回動した９０°回動姿勢と、基本姿勢を時計方向に１８０°回動した１８０°回動姿勢と、基本姿勢を時計方向に２７０°回動した２７０°回動姿勢において、各姿勢における行列のそれぞれ共通するアドレスの４分割キートップの各分割部に数字その他の符号を配置したものである電子機器を構成した。
また、請求項８：請求項４ないし請求項７の内の何れかに記載される電子機器において、表示部１１は液晶表示装置より成り、重力方向に対応する姿勢信号を表示方向決定部より入力して表示画面の表示アドレスＲ、Ｃを変換することにより表示画像の向きを回転する電子機器を構成した。
【００１４】
【発明の実施の形態】
この発明の実施の形態を図を参照して説明する。
先ず、図１を参照するに、これは実施例のブロック図である。２は表示部１１と入力部１２を制御する入力表示部制御回路部全体を示す。入力表示部制御回路部２は、姿勢判定部２１、姿勢記憶部２２、表示方向決定部２３、表示駆動回路２４を示す。
ここで、入力部１２を操作し、姿勢判定部２１に対して携帯電話端末１から姿勢判定機能要否入力を供給する。姿勢判定機能要入力を供給すれば、姿勢判定部２１は起動して入力表示部制御回路部２は判定動作を開始する。姿勢判定機能非入力を供給すれば、姿勢判定部２１は起動せず、入力表示部制御回路部２は判定動作をしないので、携帯電話端末１は単なる通常の携帯電話端末として動作をする。
【００１５】
姿勢判定部２１は加速度センサ３から供給される検出信号に基づいて携帯電話端末１の姿勢を判定する。
表示方向決定部２３は姿勢判定部２１の判定結果である姿勢信号を直接に入力し、これに対応する適正な表示方向を示す表示方向信号を決定する。
表示駆動回路２４は表示方向決定部２３の出力する表示方向信号を入力し、これに対応する方向に表示部１１および入力部を駆動変更する。
姿勢記憶部２２は姿勢判定部２１の判定結果である姿勢信号を一旦記憶する記憶部である。後で具体的に説明されるが、表示方向決定部２３は、姿勢記憶部２２に一旦記憶される直前の姿勢信号と、姿勢判定部２１の判定結果である現在の姿勢信号とを入力し、これら両信号に基づいてこれに対応する適正な表示方向信号を決定する。
【００１６】
図２を参照するに、これは図１の実施例に更に、増幅、零点調整部３’およびインターフェース回路２５を付加した実質上図１の実施例と同様なものである。増幅、零点調整部３’は加速度センサ３の一部を構成し、使用に先立って予め加速度センサ３の増幅度を調整し、零点のずれを調整しておくところである。
図３を参照するに、これは実施例を概念的に説明する斜視図である。
図３（ａ）は携帯電話端末１の姿勢が通常の姿勢をとっているところを示している。図３（ｂ）は携帯電話端末１の姿勢を図３（ａ）の姿勢から１８０°回動して通常の姿勢を転倒した姿勢を示している。しかし、図３（ｂ）の携帯電話端末１は、転倒した姿勢にあっても、表示部１１の表示画面の表示は転倒せず、この発明により正常な方向に正立せしめられている。入力部１２についても、キートップの数字配列は正常な通常の配列を保持している。図３（ｃ）は携帯電話端末１の姿勢を図３（ａ）の姿勢から９０°回動して横転した姿勢を示している。しかし、図３（ｃ）の携帯電話端末１は、横転した姿勢にあっても、表示部１１の表示画面の表示は横転せず、この発明により正常な方向に正立している。入力部１２についても、キートップの数字配列は正常な通常の配列を保持している。
【００１７】
図４を参照するに、これは図３の実施例とほぼ等価の実施例である。
図４（ａ）の場合、図３（ａ）と比較して、表示部１１および入力部１２の設置位置が上下逆転して、表示部１１が下側に配置され、入力部１２が上側に配置されている。手が特に大きくて携帯電話端末１の大きな部分が手のひらに収まる様な場合、図４（ａ）の位置関係は親指による入力部１２の操作を容易にする。図４（ｂ）は携帯電話端末１の姿勢を図４（ａ）の姿勢から１８０°回動して通常の姿勢を転倒した姿勢を示している。これにより、図４（ｂ）の姿勢にすることができる。図４（ｃ）は携帯電話端末１の姿勢を図４（ａ）の姿勢から９０°回動して横転した姿勢を示している。
【００１８】
図５を参照するに、これは携帯電話端末に使用する４分割キートップスイッチの実施例を説明する図である。図５（ａ）は４分割した４分割キートップを示す図である。図５（ｂ）は左から順に、４分割キートップスイッチを使用した携帯電話端末の姿勢イ、姿勢ロ、姿勢ハ、姿勢ニを示す図である。図５（ｃ）は４分割キートップスイッチを分解して示した図である。
４分割キートップ１２１は、セパレータ１２１ｓにより相互に不透明に９０°に４分割され、各分割部の表面には図示される通りの数字▲１▼、▲３▼、▲９▼、▲７▼が図示される通りに表示されている。この表示の仕方は後で説明する。ここで、この４分割された４分割キートップ１２１を有する４分割キートップスイッチを図（イ）の姿勢イの携帯電話端末１の入力部１２の１行１列に配置して、１行１列に数字▲１▼を正立表示する。次いで、携帯電話端末１を正方向に９０°回動して姿勢ロとすると、３行１列には数字▲７▼が正立表示される。以下、同様に姿勢ハにおいて３行３列に数字▲９▼が正立され、姿勢ニにおいて１行３列に数字▲３▼が正立される。４分割キートップスイッチは、図５（ｃ）に示される如く、プリント基板１２２に接点部１２３とその周りに４分割キートップ１２１の各数字に対応してＬＥＤ１２４を位置決めし、４分割キートップ１２１をＬＥＤ１２４に各数字を対向させてに組み合わせたものより成る。
【００１９】
図６を参照するに、これは表示部を構成する液晶表示装置の表示画像の向きを変更する仕方を説明する図である。
図６（ｂ）に示される携帯電話端末１の表示部１１の液晶表示画面は、図６（ａ）に示される表示部１１を反時計方向に９０°回転させたところを示す。しかし、図６（ｂ）に示される表示部１１の表示画像の向きは、この発明により、重力方向に対応する姿勢信号を表示方向決定部より入力して時計方向に９０°回転させられ、正立せしめられている。これは、携帯電話端末１にロードされる駆動ソフトウェアを含む駆動回路を介して、重力方向に対応する姿勢信号により表示アドレスＲ、Ｃを変換することにより実行することができる。即ち、図６（ａ）におけるローアドレスＲ１、Ｒ２、Ｒ３、・・・、Ｒ９、・・・をカラムアドレスＣ１、Ｃ２、Ｃ３、・・・、Ｃ９、・・・に変換する。そして、カラムアドレスＣ１、Ｃ２、Ｃ３、・・・、Ｃ９、・・・を、ローアドレス・・・・Ｒ９、・・・、Ｒ３、Ｒ２、・・・、Ｒ１に変換する。
【００２０】
図７を参照するに、これは姿勢の決定の仕方を説明する図である。
▲１▼  Ｘ、Ｙ、Ｚの何れの軸が上向き軸であるかを３軸加速度センサの検出出力に基づいて決定する。出力の絶対値の大きい軸を上向き軸と判定する。
▲２▼  上向き軸の極性を判断する。出力大なり：０なら上向き、出力小なり：０なら下向きと判断する。
▲３▼  水平を判断する。絶対値Ｚ大なり：０．８Ｇで、且つ絶対値Ｘ或いは絶対値Ｙ小なり：０．２Ｇの場合、水平状態にあると判断する。
▲４▼  上向き軸がＸ軸であるか、或いはＹ軸であるかを記憶する。
▲５▼  図７（ｃ）の表を参照して姿勢を決定する。
【００２１】
図８および図９を参照するに、これは水平時の表示方向決定の仕方を説明する図である。図８において、（ａ）（イ）の表示モードＡを（ｂ）（イ）の通りに傾斜して水平にした場合、表示モードＡを維持していると判断される。図８において、（ａ）（ロ）の表示モードＢを（ｂ）（ロ）の通りに傾斜して水平にした場合、表示モードＢを維持していると判断される。
図９において、（ａ）（ロ）の表示モードＢを（ｃ）（ハ）の通りに傾斜して水平にし、水平面で回転しても表示モードＤを維持している。そのまま、一旦立てると（ニ）の表示モードＡとなり、そのまま（ｃ）（ニ）の通りに傾斜して水平にした場合、（ハ）の右端と同じ姿勢にもかかわらず、表示モードＡを維持している。（ハ）と（ニ）は一連の動きで、同じ姿勢でも経緯が異なると違う表示を維持することを示している。
【００２２】
図１０を参照するに、これは静電容量型加速度センサを説明する図である。
この加速度センサに重力が印加され、振り子である中央電極は支点であるヒンジで下向きに屈曲変位する。これにより、下部電極と中央電極との間の距離は減少すると共に、上部電極と中央電極との間の距離は増大する。これを静電容量電圧変換回路についてみると、下部電極と中央電極との間の静電容量は増大する一方、上部電極と中央電極との間の静電容量は減少する。この静電容量の変化に起因して発振器からバッファを介して差動増幅器に入力される信号が変化し、結局静電容量の変化を電気信号の変化として重力の方向を認識することができる。
【００２３】
図１１を参照するに、これは３軸加速度センサを説明する図である。
Ｘ固定電極の対とＹ固定電極の対は、それぞれの電極の可動電極との間の容量差を電気信号に変換して入力加速度とするものであり、Ｘ固定電極対はＹ軸を入力軸としてＹ軸に関する回動運動を検出することができる。Ｙ固定電極対はＸ軸を入力軸としてＸ軸に関する回動運動を検出することができる。また、Ｚ固定電極は、可動電極との間の容量変化を電気信号に変換してＺ軸方向の入力加速度とするものであり、Ｚ軸方向の運動を検出することができる。
【００２４】
図１２を参照して説明する。これは４分割キートップの符号配列の決定の仕方および入力部の４分割キートップスイッチの配列の仕方を説明する図である。
携帯電話端末１の各姿勢における符号の正立した望ましい適正な４分割キートップスイッチの４分割キートップの配列状態を示すと、これは（ａ）、（ｂ）、（ｃ）、（ｄ）の最も上側に示される配列である。特に、（ａ）に示される姿勢を「基本姿勢」と称して、以下、説明する。
【００２５】
・（ａ）の基本姿勢の場合は、そのままの４分割キートップスイッチの配列が適正である。
・（ｂ）の姿勢の場合は、適正な（イ）の姿勢を反時計方向に９０°回動して「基本姿勢」に戻してみる。ここで、「基本姿勢」における１行１列のアドレスの４分割キートップスイッチが１の他に、（ｂ）（ロ）の回動姿勢における１行１列のアドレスの３をも表示するものであるとすると、回動前の（ｂ）（イ）における１行１列のアドレスの４分割キートップスイッチの１を対応するＬＥＤ１２４を選択駆動して照射することによりこれを表示することができる。
【００２６】
・（ｃ）の姿勢の場合は、適正な（イ）の姿勢を反時計方向に２回だけ（イ）（ロ）の順に９０°づつ回動して「基本姿勢」に戻してみる。ここで、「基本姿勢」における１行１列のアドレスの４分割キートップスイッチが１、３の他に、（ｃ）（ハ）の回動姿勢における１行１列のアドレスの６をも更に表示するものであるとすると、回動前の（ｃ）（イ）における１行１列のアドレスの４分割キートップスイッチの６を対応するＬＥＤ１２４を選択駆動して照射することによりこれを表示することができる。
【００２７】
・（ｄ）の姿勢の場合は、適正な（イ）の姿勢を反時計方向に３回だけ（イ）（ロ）（ハ）の順に９０°づつ回動して「基本姿勢」に戻してみる。ここで、「基本姿勢」における１行１列のアドレスの４分割キートップスイッチが１、３および６の他に、（ｄ）（ニ）の回動姿勢における１行１列のアドレスの７をも更に表示するものであるとすると、回動前の（ｄ）（イ）における１行１列のアドレスの４分割キートップスイッチの７を対応するＬＥＤ１２４を選択して照射することによりこれを表示することができる。
【００２８】
・  結局、「基本姿勢」における１行１列のアドレスの４分割キートップスイッチとして、図１２の１行１列のアドレスに示される４分割キートップスイッチを位置決め配列することにより、（ａ）、（ｂ）、（ｃ）、（ｄ）の最も上側に示される何れの姿勢の１行１列のアドレスに１を選択照射することができる。
【００２９】
・  以上の説明は、入力部１２の１行１列のアドレスに示される４分割キートップスイッチについてなされたが、他の何れのアドレスの４分割キートップスイッチも、同様な操作を（ａ）、（ｂ）、（ｃ）、（ｄ）の最も上側に示される配列の４分割キートップスイッチに施すことにより構成することができる。これにより、４分割キートップスイッチの４分割キートップの必要な照射表示を全て上の行とすることができる。これらを分かり易く示すと、図１３（ａ）、（ｂ）、（ｃ）、（ｄ）に示される通りになる。
【００３０】
図１４を参照して説明するに、これは図１２とは異なる４分割キートップの符号配列の決定の仕方および入力部の４分割キートップスイッチの配列の仕方を説明する図である。この実施例の場合、４分割キートップスイッチの４分割キートップの必要な照射表示を全て、常に下の行になる例である。４分割キートップスイッチの構成は（ａ）、（ｂ）、（ｃ）、（ｄ）の最も上側に示される配列の４分割キートップスイッチに、図１２により説明された操作と同様の操作を施すことにより実施することができる（・注  図１４と図１２はキー配列を一つにまとめるところが相違しており、図１４を削除しないで残しておきたい）。
【００３１】
図１５を参照するに、これは４分割キートップスイッチの行列の数が異なる１２個の場合であるが、これも先の説明とほぼ同様にして構成することができる。
【００３２】
【発明の効果】
上述した通りであって、この発明によれば、電子機器が一例として携帯電話端末である場合、これが如何なる姿勢にあっても、表示画面の表示内容の表示方向および入力部の押しボタン或いはキーボードの入力キーの配列がほぼ同一に保持されるところから、表示部の表示の読み取りおよび入力部の入力操作が容易になる。
そして、入力部の押しボタン或いはキーボードが表示部の表示画面の上側に位置しても、これに対応して表示画面の表示内容および入力部の押しボタン或いはキーボードの表示が適正に変更されるので、入力時に表示部を保持して入力操作をすることができ、入力操作が安定化する。
【図面の簡単な説明】
【図１】実施例のブロック図。
【図２】図１の実施例に更なる構成を付加した実施例のブロック図。
【図３】実施例の斜視図。
【図４】他の実施例の斜視図。
【図５】４分割キートップスイッチの実施例を説明する図。
【図６】表示部の実施例を説明する図。
【図７】姿勢の決定の仕方を説明する図。
【図８】水平時の表示方向の決定の仕方を説明する図。
【図９】図８の続き。
【図１０】静電容量型加速度センサを説明する図。
【図１１】３軸加速度センサを説明する図。
【図１２】４分割キートップの符号配列の決定の仕方、および入力部の４分割キートップスイッチの配列の仕方を説明する図。
【図１３】携帯電話端末における４分割キートップスイッチの配列を大きく示す図。
【図１４】他の４分割キートップの符号配列の決定の仕方、および入力部の４分割キートップスイッチの配列の仕方を説明する図。
【図１５】４分割キートップスイッチの行列の数の異なる１２個の場合を示す図。
【図１６】従来例の斜視図。
【符号の説明】
１１  表示部                      １２  入力部
２  入力表示部制御回路部        ２１  姿勢判定部
２２  姿勢記憶部                  ２３  表示方向決定部
２４  表示駆動回路                  ３  加速度センサ
【図１】
2004260592.tif 000003
【図２】
2004260592.tif 000004
【図３】
2004260592.tif 000005
【図４】
2004260592.tif 000006
【図５】
2004260592.tif 000007
【図６】
2004260592.tif 000008
【図７】
2004260592.tif 000009
【図８】
2004260592.tif 000010
【図９】
2004260592.tif 000011
【図１０】
2004260592.tif 000012
【図１１】
2004260592.tif 000013
【図１２】
2004260592.tif 000014
【図１３】
2004260592.tif 000015
【図１４】
2004260592.tif 000016
【図１５】
2004260592.tif 000017
【図１６】
2004260592.tif 000018